【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
測定光を照射した被検査物からの戻り光と前記測定光に対応する参照光とを合波した光を用いて、前記被検査物の画像を取得する光画像撮像装置であって、
前記測定光を前記被検査物に合焦させる光学手段と、
前記戻り光の収差を測定する収差測定手段と、
前記収差測定手段により測定された収差に基づいて、前記被検査物の深さ方向における合焦位置を調整するように前記光学手段を調整する調整手段と、
前記深さ方向における異なる合焦位置に対応する前記被検査物の複数の断層画像を取得する取得手段と、
を有することを特徴とする光画像撮像装置。
【請求項２】
前記調整手段は、前記収差を表現しているツェルニケ多項式におけるデフォーカスの成分とアスティグマの成分とのうち少なくとも一つの成分に基づいて、前記光学手段を調整することを特徴とする請求項１に記載の光画像撮像装置。
【請求項３】
前記光学手段は、第１及び第２のレンズを有し、
前記調整手段は、前記デフォーカスの成分に基づいて前記第１のレンズを調整し、前記第１のレンズの調整の後に前記アスティグマの成分に基づいて前記第２のレンズを調整することを特徴とする請求項２に記載の光画像撮像装置。
【請求項４】
前記調整手段により前記デフォーカスの成分に基づいて前記光学手段を調整した後に、前記収差のうち前記デフォーカスの成分と前記アスティグマの成分とのうち少なくとも一つの成分を除いた収差に基づいて、前記測定光と前記戻り光とのうち少なくとも一つの光の収差の補正を行う収差補正手段を有することを特徴とする請求項２または３に記載の光画像撮像装置。
【請求項５】
前記調整手段は、前記収差を表現しているツェルニケ多項式におけるデフォーカスの成分が閾値以下になるように、前記光学手段の光軸方向の位置を調整することを特徴とする請求項１乃至４のいずれか１項に記載の光画像撮像装置。
【請求項６】
光源からの光を前記測定光と前記参照光とに分割する手段と、
前記戻り光と参照光路を経由した前記参照光とを干渉させる手段と、
前記干渉した光による信号の強度を検出する手段と、を有し、
前記取得手段は、前記検出する手段の検出結果に基づいて、前記複数の断層画像を取得することを特徴とする請求項１乃至５のいずれか１項に記載の光画像撮像装置。
【請求項７】
前記複数の断層画像に基づいて新たな断層画像を生成する生成手段を有することを特徴とする請求項１から６のいずれか１項に記載の光画像撮像装置。
【請求項８】
前記光学手段は、シリンドリカルレンズを有し、
前記調整手段は、前記収差を表現しているツェルニケ多項式におけるアスティグマ成分に基づいて、前記シリンドリカルレンズを調整することを特徴とする請求項１乃至７のいずれか１項に記載の光画像撮像装置。
【請求項９】
測定光を照射した被検査物からの戻り光を用いて、前記被検査物の画像を取得する光画像撮像装置であって、
前記戻り光の収差を表現しているツェルニケ多項式におけるアスティグマの成分に基づいて、前記測定光の光路に設けられたシリンドリカルレンズを調整する調整手段を有することを特徴とする光画像撮像装置。
【請求項１０】
前記調整手段は、
前記ツェルニケ多項式におけるデフォーカスの成分に基づいて、前記測定光の光路に設けられた球面レンズを調整し、
前記球面レンズを調整した後に、前記アスティグマの成分に基づいて前記シリンドリカルレンズを調整することを特徴とする請求項９に記載の光画像撮像装置。
【請求項１１】
前記被検査物は、被検眼であり、
前記被検眼に注視させるための固視標を有することを特徴とする請求項１から１０のいずれか１項に記載の光画像撮像装置。
【請求項１２】
測定光を照射した被検査物からの戻り光と前記測定光に対応する参照光とを合波した光を用いて、前記被検査物の画像を取得する光画像撮像方法であって、
前記被検査物の収差を測定する工程と、
前記測定された収差に基づいて、前記被検査物の深さ方向における合焦位置を調整するように、前記測定光を前記被検査物に合焦させる光学手段を調整する工程と、
前記深さ方向における異なる合焦位置に対応する前記被検査物の複数の断層画像を取得する工程と、
を有することを特徴とする光画像撮像方法。
【請求項１３】
前記調整する工程では、前記収差を表現しているツェルニケ多項式におけるデフォーカスの成分とアスティグマの成分とのうち少なくとも一つの成分に基づいて、前記光学手段を調整することを特徴とする請求項１２に記載の光画像撮像方法。
【請求項１４】
前記複数の断層画像に基づいて新たな断層画像を生成する工程を有することを特徴とする請求項１２あるいは１３に記載の光画像撮像方法。
【請求項１５】
前記光学手段は、シリンドリカルレンズを有し、
前記調整する工程では、前記収差を表現しているツェルニケ多項式におけるアスティグマ成分に基づいて、前記シリンドリカルレンズを調整することを特徴とする請求項１２乃至１４のいずれか１項に記載の光画像撮像方法。
【請求項１６】
測定光を照射した被検査物からの戻り光を用いて、前記被検査物の画像を取得する光画像撮像方法であって、
前記戻り光の収差を表現しているツェルニケ多項式におけるアスティグマ成分に基づいて、前記測定光の光路に設けられたシリンドリカルレンズを調整する工程を有することを特徴とする光画像撮像方法。
【請求項１７】
前記調整する工程では、
前記ツェルニケ多項式におけるデフォーカスの成分に基づいて、前記測定光の光路に設けられた球面レンズを調整し、
前記球面レンズを調整した後に、前記アスティグマの成分に基づいて前記シリンドリカルレンズを調整することを特徴とする請求項１６に記載の光画像撮像方法。
【請求項１８】
請求項１２乃至１７のいずれか１項に記載の光画像撮像方法の各工程をコンピュータに実行させることを特徴とするプログラム。
【手続補正２】
【補正対象書類名】明細書
【補正対象項目名】００１５
【補正方法】変更
【補正の内容】
【００１５】
本発明は、つぎのように構成した光画像撮像装置及びその方法を提供するものである。
【手続補正３】
【補正対象書類名】明細書
【補正対象項目名】００１６
【補正方法】変更
【補正の内容】
【００１６】
本発明に係る光画像撮像装置は、
測定光を照射した被検査物からの戻り光と前記測定光に対応する参照光とを合波した光を用いて、前記被検査物の画像を取得する光画像撮像装置であって、
前記測定光を前記被検査物に合焦させる光学手段と、
前記戻り光の収差を測定する収差測定手段と、
前記収差測定手段により測定された収差に基づいて、前記被検査物の深さ方向における合焦位置を調整するように前記光学手段を調整する調整手段と、
前記深さ方向における異なる合焦位置に対応する前記被検査物の複数の断層画像を取得する取得手段と、
を有することを特徴とする。
【手続補正４】
【補正対象書類名】明細書
【補正対象項目名】００１７
【補正方法】変更
【補正の内容】
【００１７】
また、本発明に係る光画像撮像方法は、
測定光を照射した被検査物からの戻り光と前記測定光に対応する参照光とを合波した光を用いて、前記被検査物の画像を取得する光画像撮像方法であって、
前記被検査物の収差を測定する工程と、
前記測定された収差に基づいて、前記被検査物の深さ方向における合焦位置を調整するように、前記測定光を前記被検査物に合焦させる光学手段を調整する工程と、
前記深さ方向における異なる合焦位置に対応する前記被検査物の複数の断層画像を取得する工程と、
を有することを特徴とする。
【手続補正５】
【補正対象書類名】明細書
【補正対象項目名】発明の名称
【補正方法】変更
【補正の内容】
【発明の名称】光画像撮像装置及びその方法